(57)【特許請求の範囲】
【請求項１】
硬貨投入口に投入された硬貨を金種別に選別する硬貨選別部と、
１円硬貨を収納する１円硬貨収納部と、５０円硬貨を収納する５０円硬貨収納部と、５円硬貨を収納する５円硬貨収納部と、１００円硬貨を収納する１００円硬貨収納部と、１０円硬貨を収納する１０円硬貨収納部と、５００円硬貨を収納する５００円硬貨収納部とからなり各々硬貨出口を有する金種別収納部を備え、前記硬貨選別部で選別された硬貨を金種別に収納する硬貨収納部と、
第１駆動部に駆動されて、前記硬貨収納部に収納されている硬貨を前記金種別収納部の硬貨出口から金種別に繰り出す繰出機構と、
第２駆動部に駆動されて、前記繰出機構により繰り出された硬貨を払出硬貨通路に沿ってその下流側に案内搬送して送り出す払出搬送機構と、
前記払出硬貨通路の終端に配置され、前記払出搬送機構によって送り出された硬貨をその慣性によって滑走させる滑走面を備え、当該滑走面を滑走した硬貨を保持する硬貨払出部と、
払出指示に応じて、前記第１駆動部を駆動して前記硬貨収納部に収納されている硬貨を金種別に繰り出す手段と、
早い段階で送り出す金種の硬貨ほど前記滑走面での滑走距離が長くなる繰り出し速度となるように前記第２駆動部を駆動して前記繰り出された硬貨を金種別に前記滑走面に送り出し当該硬貨を前記硬貨払出部上で金種別に揃わせる手段と、
を備える硬貨入出金装置。
【請求項２】
前記硬貨収納部に収納されている硬貨を額面の少ない金種から順に前記滑走面に送り出す、請求項１記載の硬貨入出金装置。
【請求項３】
前記払出硬貨通路の下流側から順に、前記１円硬貨収納部の硬貨出口、前記５０円硬貨収納部の硬貨出口、前記５円硬貨収納部の硬貨出口、前記１００円硬貨収納部の硬貨出口、前記１０円硬貨収納部の硬貨出口、前記５００円硬貨収納部の硬貨出口が配置され、
前記硬貨収納部に収納されている１円硬貨、５円硬貨及び１０円硬貨を前記払出硬貨通路に繰り出し前記滑走面に送り出した後に、前記硬貨収納部に収納されている５０円硬貨、１００円硬貨及び５００円硬貨を前記払出硬貨通路に繰り出す、
請求項２記載の硬貨入出金装置。
【請求項４】
前記硬貨収納部に収納されている硬貨を額面の大きい金種から順に前記滑走面に送り出す、請求項１記載の硬貨入出金装置。
【請求項５】
前記払出硬貨通路の下流側から順に、前記５００円硬貨収納部の硬貨出口、前記１０円硬貨収納部の硬貨出口、前記１００円硬貨収納部の硬貨出口、前記５円硬貨収納部の硬貨出口、前記５０円硬貨収納部の硬貨出口、前記１円硬貨収納部の硬貨出口が配置され、
前記硬貨収納部に収納されている５００円硬貨、１００円硬貨及び５０円硬貨を前記払出硬貨通路に繰り出し前記滑走面に送り出した後に、前記硬貨収納部に収納されている１０円硬貨、５円硬貨及び１円硬貨を前記払出硬貨通路に繰り出す、
請求項４記載の硬貨入出金装置。
【発明の詳細な説明】
【技術分野】
【０００１】
本発明は、ＰＯＳ（Ｐｏｉｎｔ  Ｏｆ  Ｓａｌｅｓ）端末やＥＣＲ（Ｅｌｅｃｔｒｏｎｉｃ  Ｃａｓｈ  Ｒｅｇｉｓｔａｒ）等の電子機器に接続されて用いられる硬貨入出金装置に関する。
【背景技術】
【０００２】
従来、小売店等では、硬貨入出金装置が接続されているＰＯＳ端末やＥＣＲ等の電子機器を用いた商品取引が行われている。商品取引において、キャッシャは硬貨入出金装置に対し、硬貨を硬貨受皿などの硬貨払出部に払い出すための操作を行って、硬貨払出部に払い出された硬貨をその合計金額を確認した上で釣銭金として客に手渡す。しかし、一般に、硬貨払出部にはキャッシャにとってその合計金額を把握しやすい順番に払い出されるわけではない。例えば、硬貨通路に沿って投入された硬貨を搬送し、硬貨通路に沿って順次拡大する硬貨選択穴によって硬貨を選別落下させて金種別収納部に金種毎に硬貨を収納する方式の硬貨入出金装置が多く普及している（例えば、特許文献１）。このような硬貨入出金装置では、金種別収納部は硬貨の径の大きさ順に並列し、金種別収納部に沿って払出硬貨通路が設けられ、金種別収納部に収納されている硬貨は径の大きさ順に払出硬貨通路に繰り出された後に硬貨払出部に払い出される。そして、硬貨の径の大きさ順と硬貨の額面の順とは一致しないため、硬貨入出金装置からは額面の順でいえば不規則な順番で硬貨が払い出され、その硬貨が硬貨払出部に並ぶ。キャッシャは、このように払い出される硬貨の合計金額を一見して把握しにくく、このことは、商品取引が滞る一要因となる。
【０００３】
この点、特許文献１に記載されている釣銭機では、硬貨収納部から繰り出される硬貨を平積み状態で保留する硬貨保留筒と、硬貨保留筒の底面を開閉して硬貨保留筒に保留された硬貨を吐出落下させる開閉機構とを備えて、硬貨収納部から硬貨を金額順に繰り出して硬貨保留筒に落下させて硬貨保留筒内に金額順に平積みさせた後に開閉機構を駆動して金額順に積み重ねられた状態の硬貨を吐出落下させることで、キャッシャ等の操作者に払い出された硬貨の合計金額を短時間で正確に把握できるようにしている（特許文献１の請求項２、７、段落番号００４１）。
【０００４】
【特許文献１】特開２００１−３５１１３６公報
【発明の開示】
【発明が解決しようとする課題】
【０００５】
しかし、特許文献１に記載されている釣銭機を用いた場合、払い出された硬貨は額面の順に整列するものの、キャッシャは、商品取引中に硬貨保留筒内に平積みされた硬貨を下方に吐出させて手のひらで受け止め、手のひらの上で払い出された硬貨の合計金額を確認するという作業を強いられることになり、商品取引の迅速化が図れないという問題がある。
【０００６】
本発明の目的は、硬貨入出金装置から払い出される硬貨の合計金額を素早く把握できるようにすることである。
【課題を解決するための手段】
【０００７】
本発明の硬貨入出金装置は、硬貨投入口に投入された硬貨を金種別に選別する硬貨選別部と、１円硬貨を収納する１円硬貨収納部と、５０円硬貨を収納する５０円硬貨収納部と、５円硬貨を収納する５円硬貨収納部と、１００円硬貨を収納する１００円硬貨収納部と、１０円硬貨を収納する１０円硬貨収納部と、５００円硬貨を収納する５００円硬貨収納部とからなり各々硬貨出口を有する金種別収納部を備え、前記硬貨選別部で選別された硬貨を金種別に収納する硬貨収納部と、第１駆動部に駆動されて、前記硬貨収納部に収納されている硬貨を前記金種別収納部の硬貨出口から金種別に繰り出す繰出機構と、第２駆動部に駆動されて、前記繰出機構により繰り出された硬貨を払出硬貨通路に沿ってその下流側に案内搬送して送り出す払出搬送機構と、前記払出硬貨通路の終端に配置され、前記払出搬送機構によって送り出された硬貨をその慣性によって滑走させる滑走面を備え、当該滑走面を滑走した硬貨を保持する硬貨払出部と、払出指示に応じて、前記第１駆動部を駆動して前記硬貨収納部に収納されている硬貨を金種別に繰り出す手段と、早い段階で送り出す金種の硬貨ほど前記滑走面での滑走距離が長くなる繰り出し速度となるように前記第２駆動部を駆動して前記繰り出された硬貨を金種別に前記滑走面に送り出し当該硬貨を前記硬貨払出部上で金種別に揃わせる手段と、を備える。
【発明の効果】
【０００８】
本発明の硬貨入出金装置によれば、硬貨収納部から払出硬貨通路に金種別に繰り出された硬貨は滑走面に送り出され、早い段階で送り出す金種の硬貨ほど長い滑走距離を滑走して硬貨払出部に保持されるため、硬貨入出金装置から払い出される硬貨の合計金額を素早く把握できるようにすることができる。
【発明を実施するための最良の形態】
【０００９】
本発明の実施の一形態について、図１ないし図６に基づいて説明する。
【００１０】
図１は、硬貨入出金装置１０１の外観斜視図である。
【００１１】
硬貨入出金装置１０１は、本体ユニット１と、この本体ユニット１を正面に向けて引き出し可能に収納するハウジングケース１ａとにより構成されている。本体ユニット１の正面側には、硬貨投入部８０と、硬貨払出部８８と、操作表示部２４とが配置されている。硬貨投入部８０と硬貨払出部８８と操作表示部２４とは、本体ユニット１がハウジングケース１ａに収納された状態で硬貨入出金装置１０１の正面側の上面に露出するように、本体ユニット１に配置されている。
【００１２】
硬貨投入部８０は、硬貨投入口２と、投入口センサ３と、入金ベルト４と、投入口ローラ５（図２参照）とを備える。硬貨投入口２は、本体ユニット１の正面右側に設けられ、複数の硬貨Ｃを一括投入可能な大きさに上面に向けて開口している。硬貨投入口２の側面には、光学的に硬貨Ｃの有無を検出するための複数組の投入口センサ３が設けられている。硬貨投入口２の底面には、選択穴ベース６（図２参照）に連接される入金ベルト４が設けられている。入金ベルト４は、モータＭ０（図３参照）の動力によって回転駆動する駆動ローラ（図示せず）および従動ローラ（図示せず）に張り架けられており、モータＭ０の駆動によって装置内部の奥側に向けて搬送方向Ａの方向に駆動して、入金ベルト４の上面に載置された状態にある硬貨Ｃを硬貨入出金装置１０１の内部に搬送する。硬貨投入口２の搬送方向Ａの下流側の一端には、入金ベルト４の真上に硬貨Ｃ一枚分よりも若干大きい間隔を設けて離反した高さに投入口ローラ５（図２参照）が対向配置されている。このため、入金ベルト４と投入口ローラ５との間には、入金ベルト４の上面に平置きされた一枚の硬貨Ｃの通過を許容する入金口Ｂが形成される。投入口ローラ５は、モータＭ０（図３参照）を駆動源として駆動ローラと同一方向に回転する。つまり、入金ベルト４の上面に二枚以上積層された状態で搬送される硬貨Ｃは、投入口ローラ５に接触して最下層の硬貨Ｃを残して搬送方向Ａの上流側に向けて払いのけられる。従って、硬貨投入口２に投入された硬貨Ｃは、入金ベルト４によって搬送されて入金口Ｂを一枚ずつ通過して、硬貨入出金装置１０１の内部に送り込まれる。
【００１３】
硬貨払出部８８は、硬貨受皿２２により構成される。硬貨受皿２２は、本体ユニット１の正面左側に設けられ、上面に向けて開口して設けられている。硬貨受皿２２には、第２搬送ベルト２５（図２参照）の終端と滑らかに接続し、第２搬送ベルト２５から送り出された硬貨Ｃをその慣性によって滑走させる滑らかな滑走面２３が形成されている。滑走面２３は、硬貨受皿２２の内壁から底面にかけて形成され、硬貨受皿２２の左端部分から硬貨入出金装置１０１の手前方向に伸び、そのまま硬貨入出金装置１０１の右方向に向かって延びている。硬貨入出金装置１０１から払い出された硬貨Ｃは、滑走面２３の上を滑走し、滑走面２３の延びる方向に沿って屈曲した後に、硬貨受皿２２と硬貨Ｃとの間の摩擦力によって静止し、硬貨受皿２２に保持される。
【００１４】
操作表示部２４は、表示器および各種の操作キーを備えて構成され、本体ユニット１の正面左側で硬貨受皿２２よりも奥側に設けられ、上面に向けて配置されている。
【００１５】
図２は、硬貨入出金装置１０１の内部構造を示す平面図である。硬貨入出金装置１０１を構成する本体ユニット１は、硬貨搬送機構８２と、硬貨選別部８３と、硬貨収納部８４と、繰出機構８５と、払出搬送機構８６とを備える。また、本体ユニット１には、入金ベルト４と、選択穴ベース６と、基準ガイド９とからなる、硬貨投入口２から投入された硬貨Ｃを硬貨入出金装置１０１の手前から奥に向けて案内する硬貨通路８１が形成されている。また、本体ユニット１には、第２搬送ベルト２５と滑走面２３とからなる、繰出機構８５によって硬貨収納部８４から繰り出された硬貨Ｃを硬貨入出金装置１０１の外部に案内する払出硬貨通路８７が形成されている。
【００１６】
硬貨搬送機構８２は、入金ベルト４と、投入口ローラ５と、第１搬送ベルト７とを備え、硬貨投入口２から投入された硬貨Ｃを一枚ずつ分離して搬送する。第１搬送ベルト７は、入金ベルト４によって搬送される硬貨Ｃの上面に接触し、この硬貨Ｃを下方に押圧しながら硬貨通路８１に沿って搬送方向Ａに搬送する。
【００１７】
硬貨選別部８３は、選択穴ベース６と、第１搬送ベルト７と、硬貨選別穴８と、基準ガイド９と、計数センサ１０とを備え、硬貨搬送機構８２から搬送される硬貨Ｃを金種別に選別して落下させる。選択穴ベース６は、平板状の部材であり第１搬送ベルト７の下方に配置されている。硬貨選別穴８は、選択穴ベース６の平板部に設けられている穴であり、搬送方向Ａに沿って１円、５０円、５円、１００円、１０円、５００円の順にそれぞれの金種の硬貨に対応する幅寸法となっていて、第１搬送ベルト７によって搬送される硬貨Ｃがその硬貨Ｃの金種に対応する幅寸法の落下位置８ａ〜８ｆに位置付けられたときに、その硬貨Ｃを下方に落下させる。基準ガイド９は、硬貨通路８１の左右端を構成しており、硬貨通路８１の途中で左側に迫り出している。そのため、第１搬送ベルト７によって選択穴ベース６上を搬送される硬貨Ｃは、基準ガイド９によって搬送方向Ａに対して右側の側面を揃えられた状態で搬送方向Ａに搬送され、搬送される途中に硬貨選別穴８の上を通過し、その硬貨Ｃの金種に応じた落下位置８ａ〜８ｆに来ると、そこから下方に落下する。計数センサ１０は、落下位置８ａ〜８ｆのそれぞれの下方に金種に対応して設けられ、落下位置８ａ〜８ｆから落下する硬貨をセンシングする。
【００１８】
硬貨収納部８４は、金種別収納部１４と、繰出ベルト１５と、分離ローラ１８と、硬貨整列部１９と、繰出シャッタ２０とを備え、硬貨選別部８３から選別落下された硬貨Ｃを金種別に収納する。金種別収納部１４は、１円硬貨を収納する１円硬貨収納部１４ａと、５０円硬貨を収納する５０円硬貨収納部１４ｂと、５円硬貨を収納する５円硬貨収納部１４ｃと、１００円硬貨を収納する１００円硬貨収納部１４ｄと、１０円硬貨を収納する１０円硬貨収納部１４ｅと、５００円硬貨を収納する５００円硬貨収納部１４ｆとにより構成され、これらはいずれも硬貨入出金装置１０１の幅方向に細長い形状をなし、それぞれ硬貨入出金装置１０１に対し左端に硬貨出口１２を有している。１円硬貨収納部１４ａの右端部は、落下位置８ａの直下に位置付けられている。５０円硬貨収納部１４ｂの右端部は、落下位置８ｂの直下に位置付けられている。５円硬貨収納部１４ｃの右端部は、落下位置８ｃの直下に位置付けられている。１００円硬貨収納部１４ｄの右端部は、落下位置８ｄの直下に位置付けられている。１０円硬貨収納部１４ｅの右端部は、落下位置８ｅの直下に位置付けられている。５００円硬貨収納部１４ｆの右端部は、落下位置８ｆの直下に位置付けられている。これらの金種別収納部１４（１４ａ〜１４ｆ）は、仕切板１３によって収納ケース１４ｇの内部を硬貨入出金装置１０１の幅方向に仕切られることによって硬貨入出金装置１０１の手前から奥に向けて並列に構成されている。繰出ベルト１５は、金種別収納部１４（１４ａ〜１４ｆ）のそれぞれの底面部分に設けられ、モータＭ０（図３参照）によって駆動され、内部に収納されている硬貨Ｃを各金種別収納部１４（１４ａ〜１４ｆ）の硬貨出口１２に向けて搬送する。分離ローラ１８は、繰出ベルト１５の途中に設けられ、繰出ベルト１５に対し硬貨一枚が通過し得る間隔を隔てて、全ての各金種別収納部１４（１４ａ〜１４ｆ）に横断して設けられている。硬貨整列部１９は、各金種別収納部１４（１４ａ〜１４ｆ）の繰出ベルト１５上で分離ローラ１８と硬貨出口１２との間に形成されており、所定枚数の硬貨Ｃを一列に整列させた状態で待機させる。繰出シャッタ２０は、第１駆動部としての繰出シャッタソレノイドＭ１（図３参照）によって繰出ベルト１５の先頭位置に向けて繰出ベルト１５に対し略垂直に進退し、進出することで硬貨整列部１９に整列する硬貨Ｃの先端の側面を押えて硬貨Ｃの払い出しを一時的に停止させ、退避することで硬貨Ｃを硬貨受皿２２に払出指示に応じた指定枚数だけ払い出すことを可能にする。なお、繰出シャッタ２０の直後には、硬貨の枚数を計数するための繰出センサ３２ａ（図３参照）や、硬貨の材質を検出するための発振コイルを備えた材質センサ３２ｂ（図３参照）が配置され、硬貨出口１２から払い出された硬貨Ｃの枚数および金種が把握できるようになっている。このように、繰出ベルト１５と、分離ローラ１８と、硬貨整列部１９と、繰出シャッタ２０と、繰出センサ３２ａと、材質センサ３２ｂとは、硬貨収納部８４に収納されている硬貨Ｃを硬貨出口１２から第２搬送ベルト２５に繰り出す繰出機構８５を構成する。
【００１９】
払出搬送機構８６は、繰出機構８５により繰り出され第２搬送ベルト２５の上面に載置された硬貨Ｃを、第２搬送ベルト２５の駆動によって払出硬貨通路８７に沿ってその下流側に案内搬送して送り出す。第２搬送ベルト２５は、第２駆動部としての払出モータＭ２（図３参照）の動力によって回転駆動する駆動ローラ（図示せず）および従動ローラ（図示せず）に張り架けられており、モータＭ０の駆動によって装置内部の奥から手前に向かう方向（搬送方向Ｄ）に駆動し、硬貨Ｃを硬貨受皿２２に向けて搬送する。第２搬送ベルト２５の終端に到達した硬貨Ｃは、第２搬送ベルト２５によって加速された状態のまま硬貨受皿２２の滑走面２３に受け渡され、滑走面２３を滑走した後に静止し、硬貨受皿２２に保持される。滑走面２３のうち第２搬送ベルト２５に接続する一端側には、第２搬送ベルト２５から払い出された硬貨Ｃを検出する払出センサ２６が設けられている。払出センサ２６には、例えば、滑走面２３に埋設される発振コイルを採用することができる。
【００２０】
なお、図２に示すように、滑走面２３に接続する第２搬送ベルト２５の下流端と１円硬貨収納部１４ａの硬貨出口１２の上流側端とは、距離にしてｘ１だけ離間している。また、図２に示すように、５０円硬貨収納部１４ｂ、５円硬貨収納部１４ｃ、１００円硬貨収納部１４ｄ、１０円硬貨収納部１４ｅ、５００円硬貨収納部１４ｆのそれぞれの硬貨出口１２の幅の大きさは、ｘ２、ｘ３、ｘ４、ｘ５、ｘ６となっている。
【００２１】
図３は、硬貨入出金装置１０１の各部の電気的接続を示すブロック図である。硬貨入出金装置１０１は、情報処理を実行し各部を制御する制御部３０を備える。制御部３０は、各種演算処理を行うＣＰＵ３０ａ、制御プログラム等の固定的データを予め格納するＲＯＭ３０ｂ、金種別の硬貨Ｃの枚数等の可変的なデータを書き換え自在に格納するＲＡＭ３０ｃ等により構成されている。ＲＯＭ３０ｂには、第２搬送ベルト２５を金種に対応する繰り出し速度に駆動するために用いる定義データＦ（図４も参照）が記憶されている。制御部３０は、操作表示部２４、センサ類３２（投入口センサ３、計数センサ１０、繰出センサ３２ａ、材質センサ３２ｂ、払出センサ２６等）、繰出シャッタソレノイドＭ１、払出モータＭ２、モータＭ０、および、インターフェイス３３に接続している。インターフェイス３３は、硬貨入出金装置１０１とＰＯＳ端末などの外部機器とのデータ通信を実現する。また、制御部３０は、センサ類３２から電気信号やコイルの電圧の変動等が入力されるとこの電気信号等に基づいてモータＭ０の駆動制御および各部の制御を行う。
【００２２】
図４は、定義データＦの内容を示す模式図である。定義データＦは、金種と払出モータＭ２をパルス駆動する際の周波数との関係定義を記憶している。払出モータＭ２をパルス駆動する際の周波数が決定されると、払出モータＭ２によって駆動される駆動ローラの回転数が決定され、ひいてはこの駆動ローラによって駆動する第２搬送ベルト２５の繰り出し速度が決定される。つまり、定義データＦによって、金種と第２搬送ベルト２５の繰り出し速度との関係が定義されることになる。そして、金種と周波数とは、額面の小さい金種の硬貨ほどその硬貨が第２搬送ベルト２５に搬送されて滑走面２３に送り出された後の滑走面２３での滑走距離が長くなるような関係に定義される。なお、この定義データＦは、ＲＯＭ３０ｂに記憶される他、硬貨入出金装置１０１に備わる図示しないＨＤＤやフラッシュメモリなどの不揮発性の記憶媒体に記憶されていてもよい。また、ＲＡＭ３０ｃの一部を不揮発性にして、ここに定義データＦを記憶するようにしてもよい。
【００２３】
図５は、硬貨入出金装置１０１の制御部３０が実行する処理の流れを示すフローチャートである。硬貨入出金装置１０１の制御部３０は、機器の起動中、ＰＯＳ端末からの硬貨の払出指示の入力を待機している（ステップＳ１０１）。入力された払出指示が硬貨の金種及びその払出し枚数を指定するものである場合、硬貨入出金装置１０１の制御部３０は後に続く処理（ステップＳ１０２〜１０７）において入力された払出指示に従って硬貨Ｃを金種別に指定された枚数だけ送り出す。また、入力された払出指示が硬貨入出金装置１０１から払い出すべき金額のみを指定するものである場合、硬貨入出金装置１０１の制御部３０は、この金額に基づいて払い出す硬貨の枚数を金種別に算出し、後に続く処理（ステップＳ１０２〜１０７）において硬貨Ｃを金種別に算出した枚数だけ送り出す。
【００２４】
払出指示の入力を判定した場合（ステップＳ１０１のＹ）、硬貨入出金装置１０１の制御部３０は、硬貨収納部８４に収納されている硬貨Ｃのうち、１円硬貨収納部１４ａに収納されている金種の硬貨（１円硬貨）を硬貨払出部８８の滑走面２３に送り出す処理を実行する（ステップＳ１０２）。ステップＳ１０２の詳細について説明する。硬貨入出金装置１０１の制御部３０は、ステップＳ１０２の処理を開始すると、繰出シャッタソレノイドＭ１を駆動して繰出機構８５によって１円硬貨収納部１４ａに収納されている１円硬貨を第２搬送ベルト２５に繰り出し（ステップＳ１０２−１）、続いて、定義データＦ（図４参照）において定義されている１円硬貨に対応する周波数で払出モータＭ２をパルス駆動し（ステップＳ１０２−２）、続いて、硬貨受皿２２の滑走面２３に設けられている払出センサ２６が第２搬送ベルト２５から送り出される硬貨Ｃをセンシングするまで処理を待機する（ステップＳ１０２−３）。つまり、ステップＳ１０２−２の処理において駆動する第２搬送ベルト２５は、ステップＳ１０２−３の処理において払出センサ２６が硬貨Ｃをセンシングするまで１円硬貨に対応する予め定められた繰り出し速度で駆動し続ける。その結果、第２搬送ベルト２５の上に繰り出された１円硬貨は、１円硬貨に対応する繰り出し速度で滑走面２３に送り出され、滑走面２３を滑走した後に静止して硬貨受皿２２に保持される。硬貨入出金装置１０１の制御部３０は、第２搬送ベルト２５が硬貨Ｃをセンシングしたと判定した場合（ステップＳ１０２−３のＹ）、１円硬貨を硬貨払出部８８の滑走面２３に送り出す処理（ステップＳ１０２）を終了する。
【００２５】
ステップＳ１０２に続いて、硬貨入出金装置１０１の制御部３０は、硬貨収納部８４に収納されている硬貨Ｃのうち、５円硬貨収納部１４ｃに収納されている金種の硬貨（５円硬貨）を硬貨払出部８８の滑走面２３に送り出す処理を実行する（ステップＳ１０３）。ステップＳ１０３において、硬貨入出金装置１０１の制御部３０は、ステップＳ１０２と同様に繰出シャッタソレノイドＭ１を駆動して５円硬貨を第２搬送ベルト２５に繰り出し、払出モータＭ２を駆動して５円硬貨に対応する繰り出し速度で第２搬送ベルト２５を駆動して５円硬貨を滑走面２３に送り出し、払出センサ２６が５円硬貨をセンシングするまで第２搬送ベルト２５を駆動し続けた後に、次の処理に進める。ステップＳ１０３に続いて、硬貨入出金装置１０１の制御部３０は、１０円硬貨収納部１４ｅに収納されている金種の硬貨（１０円硬貨）を硬貨払出部８８の滑走面２３に送り出す処理（ステップＳ１０４）、５０円硬貨収納部１４ｂに収納されている金種の硬貨（５０円硬貨）を硬貨払出部８８の滑走面２３に送り出す処理（ステップＳ１０５）、１００円硬貨収納部１４ｄに収納されている金種の硬貨（１００円硬貨）を硬貨払出部８８の滑走面２３に送り出す処理（ステップＳ１０６）、５００円硬貨収納部１４ｆに収納されている金種の硬貨（５００円硬貨）を硬貨払出部８８の滑走面２３に送り出す処理（ステップ１０７）の順に処理を進める。これらの処理の詳細はステップＳ１０２の処理やステップＳ１０３の処理と同様なので、説明を省略する。
【００２６】
ステップＳ１０７に続く処理として、硬貨入出金装置１０１の制御部３０は、払出モータＭ２を駆動して第２搬送ベルト２５を所定時間駆動して第２搬送ベルト２５上の硬貨Ｃを滑走面２３に送り出すことで硬貨受皿２２に払い出した後に第２搬送ベルト２５の駆動を停止して（ステップＳ１０８）、処理を終了する。
【００２７】
図６は、図５に示す処理により硬貨入出金装置１０１が硬貨Ｃを払い出す過程を示す説明図である。硬貨入出金装置１０１では、制御部３０が行う上記の処理によって、硬貨収納部８４から第２搬送ベルト２５に金種別に硬貨Ｃが繰り出され、繰り出された硬貨Ｃは第２搬送ベルト２５によってその金種に対応する繰り出し速度のまま滑走面２３に送り出され、その慣性によって滑走面２３を滑走した後に静止して硬貨受皿２２に保持される。より詳細には、硬貨入出金装置１０１では、ＰＯＳ端末等から硬貨の払出指示が入力されると、繰出機構８５の駆動により１円硬貨収納部１４ａに収納されている１円硬貨が第２搬送ベルト２５に繰り出され、第２搬送ベルト２５の駆動によって１円硬貨が硬貨受皿２２に向けて搬送される（図６（ａ））。搬送された１円硬貨は、滑走面２３に送り出される際に払出センサ２６にセンシングされ（図６（ｂ））、滑走面２３を滑走した後に１円硬貨と滑走面２３との間の摩擦力によって静止する（図６（ｃ））。１円硬貨は第２搬送ベルト２５によって１円硬貨に対応する繰り出し速度に加速された状態で滑走面２３に送り出されるため、硬貨受皿２２に払い出された１円硬貨の停止位置はこの繰り出し速度によって定まる。また、払出センサ２６が１円硬貨をセンシングすると（図６（ｂ））、硬貨入出金装置１０１では、繰出機構８５により５円硬貨収納部１４ｃに収納されている５円硬貨が第２搬送ベルト２５に繰り出され（図６（ｃ））、第２搬送ベルト２５によって５円硬貨に対応する繰り出し速度に加速された後に滑走面２３に送り出され、１円硬貨よりも短い滑走距離だけ滑走した後に静止して硬貨受皿２２に保持される（図６（ｄ））。５円硬貨が払出センサ２６にセンシングされると、硬貨入出金装置１０１では、１０円硬貨収納部１４ｅに収納されている１０円硬貨が繰出機構８５によって第２搬送ベルト２５に繰り出される（図６（ｄ））。以降、硬貨入出金装置１０１では、５０円硬貨、１００円硬貨、５００円硬貨の順に第２搬送ベルト２５に繰り出されて、各硬貨に対応する繰り出し速度で滑走面２３に送り出され、金種ごとに徐々に滑走距離を短くしながら滑走面２３を滑走した後に静止して硬貨受皿２２に保持される。結果として、硬貨入出金装置１０１から払い出される硬貨Ｃは、硬貨受皿２２において、右から順に１円硬貨、５円硬貨、１０円硬貨、５０円硬貨、１００円硬貨、５００円硬貨の順に金種別に並べられることになる。
【００２８】
このように、本実施形態の硬貨入出金装置１０１によれば、硬貨収納部８４から第２搬送ベルト２５に金種別に繰り出された硬貨Ｃは滑走面２３に送り出され、早い段階で送り出す金種の硬貨Ｃほど長い滑走距離を滑走して硬貨受皿２２に保持されるため、硬貨払出部８８上に右から左に向けて金種の小さい順に金種別に並び、硬貨入出金装置１０１から払い出される硬貨Ｃの合計金額をキャッシャに素早く把握させることができる。
【００２９】
なお、図５に基づいて前述した処理において、硬貨入出金装置１０１において、定義データＦにおける金種と周波数との関係定義を、額面の大きい金種の硬貨ほど滑走面２３上の滑走距離が長くなる繰り出し速度となるように周波数を定義し、制御部３０がステップＳ１０２〜Ｓ１０７の処理をステップＳ１０７、Ｓ１０６、Ｓ１０５、Ｓ１０４、Ｓ１０３、Ｓ１０２の順に行うことにより、硬貨入出金装置１０１から送り出される硬貨Ｃを硬貨払出部８８上に右から左に向けて金種の大きい順に金種別に並べるようにして、硬貨入出金装置１０１から払い出される硬貨Ｃの合計金額をキャッシャに素早く把握させるようにすることもできる。
【００３０】
次いで、別の実施の一形態を図７及び図８に基づいて説明する。この場合、図１ないし図６に基づいて説明した実施の形態と同一の部分は同一符号で示し、説明も省略する。本実施の形態の硬貨入出金装置１０１は、払出硬貨通路８７（第２搬送ベルト２５）の下流側から順に、１円硬貨収納部１４ａ、５０円硬貨収納部１４ｂ、５円硬貨収納部１４ｃ、１００円硬貨収納部１４ｄ、１０円硬貨収納部１４ｅ、５００円硬貨収納部１４ｆの順に硬貨出口１２が配置されていることを利用し、硬貨収納部８４に収納されている硬貨Ｃのうち複数の金種の硬貨Ｃを一度に第２搬送ベルト２５に繰り出した後に滑走面２３に送り出すようにすることで、硬貨入出金装置１０１から硬貨Ｃを払い出す際にかかる時間の短縮化を図るものである。
【００３１】
図７は、本実施の形態の硬貨入出金装置１０１の制御部３０が実行する処理の流れを示すフローチャートである。図８は、図７に示す処理により硬貨入出金装置１０１が硬貨Ｃを払い出す過程を示す説明図である。硬貨入出金装置１０１の制御部３０は、機器の起動中、ＰＯＳ端末からの硬貨の払出指示の入力を待機し（ステップＳ２０１）、払出指示の入力を判定した場合（ステップＳ２０１のＹ）、繰出シャッタソレノイドＭ１を駆動して繰出機構８５により硬貨収納部８４に収納されている硬貨Ｃのうち、１円硬貨収納部１４ａに収納されている金種の硬貨（１円硬貨）、５円硬貨収納部１４ｃに収納されている金種の硬貨（５円硬貨）、及び、１０円硬貨収納部１４ｅに収納されている金種の硬貨（１０円硬貨）を滑走面２３に送り出す（ステップＳ２０２、図８（ａ））。
【００３２】
続く処理として、硬貨入出金装置１０１の制御部３０は、払出モータＭ２を駆動して、定義データＦ（図４参照）において定義されている１円硬貨に対応する周波数で払出モータＭ２をパルス駆動して、このパルス駆動に従って駆動する図示しない駆動ローラによって第２搬送ベルト２５を搬送方向Ｄに距離ｘ１だけ駆動して、第２搬送ベルト２５に繰り出された１円硬貨を滑走面２３に送り出す（ステップＳ２０３、図８（ｂ））。
【００３３】
続く処理として、硬貨入出金装置１０１の制御部３０は、払出モータＭ２を駆動して、定義データＦ（図４参照）において定義されている５円硬貨に対応する周波数で払出モータＭ２をパルス駆動して第２搬送ベルト２５を搬送方向Ｄに距離（ｘ２＋ｘ３）だけ駆動して、第２搬送ベルト２５に繰り出された５円硬貨を滑走面２３に送り出す（ステップＳ２０４、図８（ｃ））。
【００３４】
続く処理として、硬貨入出金装置１０１の制御部３０は、払出モータＭ２を駆動して、定義データＦ（図４参照）において定義されている１０円硬貨に対応する周波数で払出モータＭ２をパルス駆動して第２搬送ベルト２５を搬送方向Ｄに距離（ｘ４＋ｘ５）だけ駆動して、第２搬送ベルト２５に繰り出された１０円硬貨を滑走面２３に送り出す（ステップＳ２０５、図８（ｄ））。
【００３５】
続く処理として、硬貨入出金装置１０１の制御部３０は、繰出シャッタソレノイドＭ１を駆動して繰出機構８５により硬貨収納部８４に収納されている硬貨Ｃのうち、５０円硬貨収納部１４ｂに収納されている金種の硬貨（５０円硬貨）、１００円硬貨収納部１４ｄに収納されている金種の硬貨（１００円硬貨）、及び、５００円硬貨収納部１４ｆに収納されている金種の硬貨（５００円硬貨）を第２搬送ベルト２５に繰り出す（ステップＳ２０６、図８（ｄ））。
【００３６】
続く処理として、硬貨入出金装置１０１の制御部３０は、ステップＳ２０３〜Ｓ２０５の処理と同様に、５０円硬貨に対応する周波数で払出モータＭ２をパルス駆動して第２搬送ベルト２５を搬送方向Ｄに距離（ｘ１＋ｘ２）だけ駆動し（ステップＳ２０７）、１００円硬貨に対応する周波数で払出モータＭ２をパルス駆動して第２搬送ベルト２５を搬送方向Ｄに距離（ｘ３＋ｘ４）だけ駆動し（ステップＳ２０８）、５００円硬貨に対応する周波数で払出モータＭ２をパルス駆動して第２搬送ベルト２５を搬送方向Ｄに距離（ｘ５＋ｘ６）だけ駆動する（ステップＳ２０９）。ステップＳ２０７〜Ｓ２０９の処理によって、硬貨受皿２２には、５０円硬貨、１００円硬貨、及び、５００円硬貨が滑走面２３に送り出される。
【００３７】
ステップＳ２０９に続く処理として、硬貨入出金装置１０１の制御部３０は、前述した実施の形態と同様に、払出モータＭ２を駆動して第２搬送ベルト２５を所定時間駆動して第２搬送ベルト２５上の硬貨Ｃを滑走面２３に送り出すことで硬貨受皿２２に払い出した後に第２搬送ベルト２５の駆動を停止して（ステップＳ２１０）、処理を終了する。
【００３８】
このように、本実施形態の硬貨入出金装置１０１によっても、前述した実施の形態の硬貨入出金装置１０１と同様に、硬貨収納部８４から繰り出された硬貨Ｃは払出硬貨通路８７（第２搬送ベルト２５）の下流側から金種の小さい順に並び、硬貨払出部８８に払い出されて滑走面２３を滑走し、硬貨払出部８８上に右から左に向けて金種の小さい順に金種別に並ぶため、硬貨入出金装置１０１から払い出される硬貨Ｃの合計金額をキャッシャが素早く把握できるようになる。さらに、本実施の形態の硬貨入出金装置１０１によれば、複数の金種の硬貨Ｃが一度に第２搬送ベルト２５に繰り出されるため、前述した実施の形態の硬貨入出金装置１０１よりもさらに迅速に硬貨Ｃの払い出しを行って、会計処理のさらなる迅速化を図ることができる。
【００３９】
また、ＰＯＳ端末から入力される硬貨の払出指示による払出金額（釣銭額）が、その金額分の硬貨Ｃを一度に第２搬送ベルト２５に繰り出すと第２搬送ベルト２５の下流側から上流側に向けて硬貨Ｃが額面の小さい順に並ぶような金額である場合は、硬貨の第２搬送ベルト２５への繰出しを二度に分けることなく、繰出シャッタソレノイドＭ１を駆動して繰出機構８５により払出金額分の硬貨Ｃを一度に第２搬送ベルト２５に繰出し、金種に応じた繰出速度で第２搬送ベルト２５が駆動するように払出モータＭ２をパルス駆動することで、一度の第２搬送ベルト２５の駆動で硬貨Ｃを払い出すこともできる。このような硬貨Ｃの払出しは、一例として、払出金額が６円、１１円、１５円、１６円、５１円、１０１円、１０５円、１０６円、１５０円、１５１円、５０１円、５０５円、５０６円、５１０円、５１１円、５１５円、５１６円、５５０円、５５１円、６００円、６０１円、６０５円、６０６円、６５０円、６５１円である場合に行うことができる。
【００４０】
なお、本実施の形態において、第２搬送ベルト２５を逆方向に駆動し、その駆動方向における下流側に硬貨受皿２２を配置して、硬貨収納部８４に収納されている硬貨Ｃのうち５００円硬貨、１００円硬貨及び５０円硬貨を一度に第２搬送ベルト２５に繰り出して滑走面２３に送り出し、続いて、硬貨収納部８４に収納されている硬貨Ｃのうち、１０円硬貨、５円硬貨及び１円硬貨を一度に第２搬送ベルト２５に繰り出して硬貨受皿２２に送り出すことにより、硬貨入出金装置１０１から硬貨Ｃを額面の大きい順に硬貨払出部８８上に並べることができる。
【図面の簡単な説明】
【００４１】
【図１】硬貨入出金装置の外観斜視図である。
【図２】硬貨入出金装置の内部構造を示す平面図である。
【図３】硬貨入出金装置の各部の電気的接続を示すブロック図である。
【図４】定義データの内容を示す模式図である。
【図５】硬貨入出金装置の制御部が実行する処理の流れを示すフローチャートである。
【図６】硬貨入出金装置が硬貨を払い出す過程を示す説明図である。
【図７】硬貨入出金装置の制御部が実行する処理の流れを示すフローチャートである。
【図８】硬貨入出金装置が硬貨を払い出す過程を示す説明図である。
【符号の説明】
【００４２】
２…硬貨投入口、１２…硬貨出口、１４…金種別収納部、１４ａ…１円硬貨収納部、１４ｂ…５０円硬貨収納部、１４ｃ…５円硬貨収納部、１４ｄ…１００円硬貨収納部、１４ｅ…１０円硬貨収納部、１４ｆ…５００円硬貨収納部、２３…滑走面、２５…第２搬送ベルト（払出硬貨通路）、８３…硬貨選別部、８４…硬貨収納部、８５…繰出機構、８６…払出搬送機構、８７…払出硬貨通路、８８…硬貨払出部、１０１…硬貨入出金装置、Ｃ…硬貨、Ｍ１…繰出シャッタソレノイド（第１駆動部）、Ｍ２…払出モータ（第２駆動部）
【図１】
0004809823.tif 000002
【図２】
0004809823.tif 000003
【図３】
0004809823.tif 000004
【図４】
0004809823.tif 000005
【図５】
0004809823.tif 000006
【図６】
0004809823.tif 000007
【図７】
0004809823.tif 000008
【図８】
0004809823.tif 000009